(57)【要約】【課題】  特に灌水等を行う必要がなく、屋上、ベランダ、バルコニー等の人工基盤のような水環境の厳しい環境下でも、迅速かつ容易に施工可能な、土を用いない、植生基盤に植物を植え付ける植物植栽方法を提供する。【解決手段】  感温吸排水性樹脂を分散させた連続気泡型多孔体または繊維圧縮成型体からなる植栽基盤に、実質的に土壌を用いることなく植物を直に植え付ける植物養生方法において、防根シート及び防水シートを敷設した上に植栽基盤を設置し、次いで該植栽基盤に植物を載置し、該植物を被覆資材で覆う。【選択図】  なし【特許請求の範囲】
【請求項１】
感温吸排水性樹脂を分散させた連続気泡型多孔体または繊維圧縮成型体からなる植栽基盤に、実質的に土壌を用いることなく植物を直に植え付ける植物養生方法において、防根シート及び防水シートを敷設した上に植栽基盤を設置し、次いで該植栽基盤に植物を載置し、該植物を被覆資材で覆うことを特徴とする植物養生方法。
【請求項２】
植物が栽培した芝である、請求項１記載の植物養生方法。
【請求項３】
防水シートが、植栽基盤の側面をも覆うものである、請求項１乃至２記載の植物養生方法。
【請求項４】
植物基盤上に感温吸排水性樹脂を添加後、植物を載置したものである、請求項１乃至３のいずれか１項記載の植物養生方法。
【発明の詳細な説明】
【技術分野】
【０００１】
本発明は、感温吸排水性樹脂を分散させた連続気泡型多孔体または繊維圧縮成型体からなる植栽基盤に、実質的に土壌を用いることなく植物、特に芝、を直に植え付ける養生方法に関する。
【背景技術】
【０００２】
近年、都市ビルの屋上及び集合住宅のベランダ、バルコニー、屋上において、景観の向上、または、ヒートアイランド防止の目的で植栽する動きが活発になっており、これらの環境で植栽するため、いろいろな材料、工法が開発されている。一般的には屋上緑化を行なう場合、基礎基盤状に防水層、耐根シート、保水・排水層、透水フィルターを順次にセットし、最後に土壌・人工土穣（主に軽量土穣）を盛り植栽を施している。しかし土壌・人工土穣は粉塵が生じ、配水管を閉塞させる危険性がつきまとい、又、屋上等の特殊環境下においては、建物の構造特性上、建築基準法により重量制限がされており、土厚を極端に厚くすることができず、頻繁に潅水を行なわなければならない。このため、ビル、集合住宅の屋上、ベランダ、バルコニーの緑化普及の多きな障害になっている。
そこで、土壌を使用することなく緑化する報告も多くあり、植生マット、繊維状物等を使用する試みも報告されているが、成長した植物が健全な生育を続けるためにはある程度以上の根圏容積、すなわち厚さが必要とされ、その根圏の環境を満足させるためには、水・肥料の循環ライン等の機材が必要とされていた。
【０００３】
本発明者らは、かかる欠点のない、実質的に土壌を使用することなく、特別な機材を用いなくても、屋上等の人工基盤でも簡便に緑化を可能とする、感温吸排水性樹脂を分散させた植生資材に植物を直に植え付けた緑化体を先に提案した（特許文献１）。
しかしながら、該植生資材に植物を植え付けるためには十分な散水等の管理が必要であり、特に、屋上等の水環境の厳しい環境下での管理は困難で、植生資材に植物を植え付けてから施工場所まで運搬する、という方法が用いられていた。そのため、植え付けから運搬までの管理と共に、水を含んだ緑化体の運搬中の水漏れ対策、屋上等への運搬、等、コストアップを招いていた。
【０００４】
一方、公園、ゴルフ場等において、植物、特に芝、の植生に、種子を散布後、不織布シートあるいは天然繊維で形成されたマットで散布面を被覆することは報告されている（特許文献２）。しかしながらこれらは、土壌に種子を散布するものであり、栽培した芝を連続気泡型多孔体あるいは繊維圧縮成型体に植え付けるものではない。
【特許文献１】特開２００２−５１６３７号公報
【特許文献２】特開平８−１０６号公報、特開２００１−２０４２４４号公報
【発明の開示】
【発明が解決しようとする課題】
【０００５】
本発明は、屋上、ベランダ、バルコニー等の水環境の厳しい人工基盤上でも、迅速かつ容易に施工可能な、感温吸排水性樹脂を分散させた植栽基盤を用いた植物養生方法を提供することを課題とする。
【課題を解決するための手段】
【０００６】
本発明者らは、防根シート、防水シート及び被覆資材を用いることにより、上記課題を解決できる事を見出し、本発明に到達した。
すなわち、本発明は、
（１）感温吸排水性樹脂を分散させた連続気泡型多孔体または繊維圧縮成型体からなる植栽基盤に、実質的に土壌を用いることなく植物を直に植え付ける植物養生方法において、防根シート及び防水シートを敷設した上に植栽基盤を設置し、次いで該植栽基盤に植物を載置し、該植物を被覆資材で覆うことを特徴とする植物養生方法、
（２）植物が栽培した芝である、上記（１）記載の植物養生方法、
（３）防水シートが、植栽基盤の側面をも覆うものである、上記（１）乃至（２）記載の植物養生方法、
（４）植物基盤上に感温吸排水性樹脂を添加後、植物を載置したものである、上記（１）乃至（３）のいずれか一に記載の植物養生方法、
を提供するものである。
【発明の効果】
【０００７】
本発明によると、特に灌水等を行う必要がないので、屋上、ベランダ、バルコニー等の人工基盤のような水環境の厳しい環境下でも、土を用いることなく、迅速かつ容易に、植生基盤に植物を植え付けることができる。
【発明を実施するための最良の形態】
【０００８】
以下、本発明を詳細に説明する。
本発明は、防根シート及び防水シートを敷設し、シート上に感温吸排水性樹脂を分散させた植栽基盤を設置し、次いで植物基盤上に植物を載置し、植物を被覆資材で覆うことにより実施される。
【０００９】
防根シート及び防水シートは、土壌あるいは人工基盤上に敷設されるが、屋上、ベランダ、バルコニー等の人工基盤上が好ましく、防水シートは、植栽基盤の側面を覆うように敷設することが望ましい。
防根シートは、植物の根が屋上のコンクリートの破損部に進入して破損を更に増大させることを防止するものであり、公知のもの、例えば不織布シート、織物シート、あるいはポリ塩化ビニルシート、ゴムシート、ポリオレフィンシート等が例示される。また、防水シートは、保水量向上、水脱落防止としての機能を有するものであり、防水性があるものであれば特に制限はないが、ポリエチレン、ポリプロピレン等の合成樹脂系のシートを例示できる。
防根シート及び防水シートは、防水防根シート等の両機能を有するシートを用いることにより、一つのシートで代替することもできる。
【００１０】
本発明で使用される植栽基盤である連続気泡型多孔体としては、特に制限はないが、発砲プラスチック、ポーラスな鉱物系粒子の多孔体、ゴムチップの接着成型物などが例示でき、中でもポリウレタン系等の合成樹脂系の発砲体が好ましい。また、繊維圧縮成型体としては、天然繊維、合成繊維を圧縮成型したものが例示でき、中でも親水性のある合成繊維の圧縮成型体が好ましい。
植栽基盤は感温吸排水性樹脂が分散されているが、かかる植栽基盤は、例えば、特開平１１−１０３６６２号公報に記載の方法等により、連続気泡型多孔体あるいは繊維圧縮成型体を製造する途中に感温吸排水性樹脂粒子（粉末）を添加・混合することにより容易に製造することが出来る。
添加される感温吸排水性樹脂は、特定の温度（以下、感温点という。）未満では水を吸収し、感温点以上では水を吸水せず低温で吸水していた水を外部に排出する樹脂をいい、例えば特開平７−２２４１１９号公報、同８−１０００１０号公報等に記載の、Ｎ−イソプロピルアクリルアミド等のＮ−アルキルアクリルアミドを主成分モノマーとして重合架橋させた樹脂等を例示する事が出来る。このタイプの感温吸排水性樹脂は、Ｎ−アルキルアクリルアミドと共重合するモノマーを適当に選択することにより、感温点を任意に設定することができる。
これら感温吸排水性樹脂は、植栽基盤中、０．５〜２％容量含有させることが好ましく、異なる感温点を有する感温吸排水性樹脂、例えば２０℃、２５℃及び３０℃の感温点を有する樹脂、を混合することもできる。
【００１１】
本発明で使用される植物は、植え付けられるものであれば制限はないが、栽培されたもの、特に発芽以降生長、発育期のものが好ましく、具体的には、芝、ダイカンドラ、イワダレソウ等、が例示され、中でも芝が特に好ましい。
植物は、実質的に土壌を使用することなく直に植栽基盤に植え付けられるが、実質的にとは、わざわざ土壌を使用しないことをいい、例えば苗等を植え付ける場合のように根に付着した少量の土までも排除するということではない。
【００１２】
使用される被覆資材は、水の蒸散防止として機能を有するもので、植物の上に被覆することによって使用される。被覆資材としては、ある程度の通気性を有し、光線透過率が高いもの、例えば光線透過性が６０％以上のもの、が望ましく、公知の合成繊維製被覆資材、不織布シート等を例示できるが、合成繊維不織布シートが好ましい。
【００１３】
本発明において、植栽基盤に植物を載置するに際し、保水性を更に向上させるため、上述した感温吸排水性樹脂を、植栽基盤上に添加した後、植物を載置することができる。
感温吸排水性樹脂は、紛体もしくは膨潤させたゲル状で使用される。添加量としては粉体として、１０〜１００ｇ／ｍ２、好ましくは３０〜５０ｇ／ｍ２程度が望ましい。
【００１４】
本発明においては、特別に灌水する必要がないので、特に水環境の厳しい屋上等の環境下においても、好適に、植物を植栽基盤に植え付けることができる。
【００１５】
以下、実施例を挙げ、本発明を具体的に説明する。
実施例１
９月２６日、日当たりがよく、雨が降り込まない人工基盤上に、防根シート及びポリエチレン製防水シートを敷き、その上に感温吸排水性樹脂を分散させた連続気泡型多孔体（厚さ５ｃｍ×縦２８ｃｍ×横２８ｃｍ）の植栽基盤（興人製、ウォーターバンク）を３枚並べ、側面を防水シートで覆った。その後、植栽基盤に十分潅水し、植栽基盤上に厚さ３ｃｍ、縦２８ｃｍ、横２８ｃｍの半土付き芝（コウライシバ）を３枚敷き、更に、水が側面の上から溢れるまで潅水を行った。その後、芝の上を製被覆資材（三井化学プラテック製、商品名パオパオ）で覆った。
その後は無潅水で、芝刈り等の管理も行わず、植栽基盤への芝の養生状態を１０月１５日まで観察した。
芝の状態は健全で、植栽基盤に植えつけることが出来た。
【００１６】
実施例２
実施例１において、防根シート及びポリエチレン製防水シートにかえて水不透過性の遮水防根シートを使用し、該水不透過性の遮水防根シートで側面を覆った以外は実施例１と同様に実施した。
芝の状態は健全で、植栽基盤に植えつけることが出来た。
【００１７】
実施例３
９月２６日、日当たりがよく、雨が降り込まない人工基盤上に、防根シート及びポリエチレン製防水シートを敷き、その上に実施例１で使用した植栽基盤を３枚並べ、十分潅水し、その上に感温吸排水性樹脂（興人製、サーモゲル）を５０ｇ／ｍ２となるように均等に振り撒いた。その後、植栽基盤上に、実施例１と同様の芝を敷き、潅水し、芝の上を被覆資材で覆った。
その後は無潅水で、芝刈り等の管理も行わず、植栽基盤への芝の養生状態を１０月１５日まで観察した。
芝の状態は健全で、植栽基盤に植えつけることが出来た。
【００１８】
実施例４
実施例１において、５月に実施した以外は、実施例１と同様な条件にて、５月１４日から６月３日まで芝の養生状態を観察した。
芝の状態は健全で、植栽基盤に植えつけることが出来た。
【００１９】
実施例５
実施例３において、７月に実施し、かつ、被覆資材を実施1週間後に取り外した以外は実施例３と同様な条件にて、７月１９日から８月５日まで芝の養生状態を観察した。
芝の状態は健全で、植栽基盤に植え付けることが出来た。
【００２０】
比較例１
９月２６日、日当たりがよく、雨が降り込まない人工基盤上に、防根シートを介し、その上に実施例１で使用した植栽基盤を３枚並べた。その後、植栽基盤に十分潅水し芝を敷き潅水を行った。
その後は無潅水で、芝刈り等の管理も行わず、植栽基盤への芝の養生状態を１０月１５日まで観察した。
芝は枯れ、植栽基盤に植えつけることが出来なかった。
【産業上の利用可能性】
【００２１】
以上説明してきたように、本発明においては、特別に灌水する必要がないので、特に水環境の厳しい環境下においても、迅速かつ容易に植物を植栽基盤に植え付けることができる。そのため、都市ビルの屋上、集合住宅のベランダ、バルコニー、屋上等の屋上緑化に、好適に用いることができる。